(57)【特許請求の範囲】
【請求項１】
床材本体の裏面に収納溝を形成し、該収納溝内に温水パイプを収納し、該温水パイプを被うように該床材本体の裏面を均熱板で被覆してなる温水式床暖房パネルにおいて、該収納溝の溝幅を該温水パイプの外径の２倍以上に大きくするとともに、該収納溝の内壁と温水パイプの外側面との間に空隙部を形成し、該空隙部に空隙充填材を保持せしめてなる温水式床暖房パネル。
【発明の詳細な説明】
【技術分野】
【０００１】
本願発明は床暖房パネルに関する。さらに詳しくは、床材の裏面に温水が循環する温水パイプが埋設された温水式床暖房パネルの構造に関するものである。
【背景技術】
【０００２】
従来公知の温水式床暖房パネルは、例えば、本願図２にその概略構成を部分断面図で示すように、床材本体１ａの裏面に温水パイプ３ａを収容する凹溝形の収納溝２ａを形成し、上記温水パイプ３ａを被うように床材本体１ａの裏面を均熱板４ａで被覆するとともに、上記床材本体１ａの表面には表面化粧板１１ａが積層一体化されている。
【０００３】
上記のように構成された従来公知の温水式床暖房パネルＢでは、施工後最初に温水パイプ３ａに温水を流したときに、床材の表面、すなわち表面化粧板１１ａに、温水パイプ３ａを収容した収納溝２ａの位置に対応して凹みが生じ、斜光によって該凹みが目立ついわゆる溝うつり部７ａが形成されることが多い。
【０００４】
この溝うつり現象は、初期に温水パイプ３ａに温水を通したとき、収納溝２ａの天井部、即ち、収納溝２ａの底の部分の床材本体層１ｂでは、厚みが薄くなっているため加温によって急速に温度が上昇し、また、その一方で、収納溝２ａのない部分の床材本体１ａでは温度が相対的に上昇しにくく、温度差が生じ、床材本体１ａの収納溝２ａの直上の表面化粧板１１ａの部分に寸法変化が生じて凹んだようになり、結果として溝うつり部７ａが生じると考えられている。
【０００５】
上記溝うつり現象を防ぐため、例えば、特開２００５−１８０８６３号公報には、床材裏面の凹溝に温水パイプを収めた温水床暖房パネルであって、凹溝内に凸部が設けられており、凹溝の天井部分と温水パイプとの間にこの凸部が介在して空気断熱層が形成されていることを特徴とする温水床暖房パネルが開示されている。
【０００６】
上記凸部は、同公報の図１に示されるように、凹溝と一体となった三角柱形状でもよく、また同公報の図３、図５に示されるように、別体に形成して溝方向に沿った三角柱形状、あるいは三角柱の各面が内方に反った弓状であってもよく、図４に示されているように、円柱形状であってもよいと記載されている。
【０００７】
上記のように構成することによって、上記公報記載の温水床暖房パネルは、凹溝の天井部分と温水パイプとの間に介在した凸部とそれにより形成された空気断熱層とによって、温水パイプ直上の床材の急激な温度上昇が抑制され、床材表面の溝うつり現象が生じにくくなるとともに、床材表面の均一な暖めを図ることもできる、とその効果が記載されている。
【０００８】
一方、特公昭５８−２５９３４公報には、断熱板と前記断熱板の一方の面に形成された溝部に配置され、充填物で固定された少なくとも一系列の熱媒体循環導管と、前記溝部を閉じるように前記断熱板に接合された電熱板とからなり、温水、蒸気、油のような熱媒体を循環させて暖房または加熱を行う熱輻射パネルに関する技術が開示されている。
【０００９】
そして、上記構成の熱輻射パネルにおいて、金属板からなる電熱板の厚みや石膏等の充填物の横断面積、隣り合う溝部間のピッチ等の種々のファクターの相互関係を特定することにより、可及的に薄く温度分布が均一で熱効率のよい熱輻射パネルを提供できると記載されている。
【先行技術文献】
【特許文献】
【００１０】
【特許文献１】特開２００５−１８０８６３号公報
【特許文献２】特公昭５８−２５９３４号公報
【発明の概要】
【発明が解決しようとする課題】
【００１１】
上記特許文献１に記載の発明に係る温水床暖房パネルにおいては、床材の裏面にすべての温水パイプを収容するための凹溝を蛇管状に設けるとともに、それらの凹溝の天井部分と凹溝を通るすべての温水パイプとの間に上記形状の凸部を介在させる必要がある。
【００１２】
しかしながら、上記凹溝部分は、通常切削加工によって床材裏面を掘り込んで設けられるため手間がかかり、また凹溝の天井部分と温水パイプとの間に凸部を介在させる必要があるため、繁雑な作業を要するという問題がある。
【００１３】
一方、上記特許文献２に記載の発明に係る熱輻射パネルは、この熱輻射パネルの上に、さらにフローリングやカーペットを敷いて用いるため、上記した溝うつり現象について考慮する必要はない。
【００１４】
本願発明は上記背景技術のもとになされたものであり、床材自体の表面に溝うつり現象が生じることなく、作業性よくかつ低コストで製造可能であり、外観性にも優れた温水式床暖房パネルを提供することである。
【課題を解決するための手段】
【００１５】
上記課題を解決するために、本願請求項１に記載の発明に係る温水式床暖房パネルは、床材本体の裏面に収納溝を形成し、該収納溝内に温水パイプを収納し、該温水パイプを被うように該床材本体の裏面を均熱板で被覆してなる温水式床暖房パネルにおいて、該収納溝の溝幅を該温水パイプの外径よりも大きくするとともに、該収納溝の内壁と温水パイプの外側面との間に空隙部を形成し、該空隙部に空隙充填材を保持せしめてなることを特徴とする。
【００１６】
ここで、上記収納溝の溝幅は、上記温水パイプの外径よりも十分に大きくしている。好ましくは、収納溝の溝幅は温水パイプの外径の２倍以上とされる。
【００１７】
また、上記空隙充填材としては、温水パイプからの熱を床材本体の裏面に凹設された収納溝周辺の床材本体に速やかに伝熱させるため熱伝導率のよい充填材、例えば、石膏、無機系コーキング材、金属片、木片等が用いられる。
【発明の効果】
【００１８】
本願請求項１記載の発明に係る温水式床暖房パネルでは、床材本体の裏面に温水パイプを収容する凹溝形の収納溝を形成し、上記温水パイプを被うように床材本体の裏面を均熱板で被覆してなる温水式床暖房パネルにおいて、該収納溝の溝幅が該温水パイプの外径よりも大きく、好ましくは２倍以上とされているため、収納溝の天井部の面積は大きくなって、温水パイプからの単位面積当たりの加熱量は少なくなり、収納溝の直上の床材本体の局部的温度上昇が抑制され、床材本体層１ｃやその近傍の含水率の低下の差異を小さくできる。
【００１９】
そして、例え、上記溝うつり現象が発生しても表面の凹溝の幅が広がりかつ浅くなっているため、床材全体として見た場合、斜め方向から射し込む光によっても溝うつり部を目立たなくすることができる。
【００２０】
また、上記収納溝の内壁と温水パイプの外側面との間に空隙部を形成し、該空隙部に空隙充填材を保持せしめているため、この空隙充填材を通じて温水パイプからの熱は収納溝の天井部の直上のみならず、収納溝の左右近傍に分散して伝熱される。
【００２１】
その結果、収納溝の天井部近辺の床材本体の温度と収納溝の左右近傍の床材本体の温度との温度差が小さくなるため、床材本体に貼着された表面化粧板の収縮等の寸法変化が抑制される。このようにして、上記収納溝の溝幅を大とし、表面化粧板の凹溝の幅が広がり、かつ浅くなる効果と相まって斜光によっても溝うつり部を目立たなくすることができる。そして、全体として溝うつり現象が防止された、表面意匠性に優れた温水式床暖房パネルを得ることができる。
【図面の簡単な説明】
【００２２】
【図１】本願発明に係る温水式床暖房パネルの概略構成を示す部分断面説明図。
【図２】公知の温水式床暖房パネルの概略構成を示す部分断面説明図。
【発明を実施するための形態】
【００２３】
以下、本願発明に係る温水式床暖房パネルの実施形態について図面を参照して詳細に説明する。図１は、上記温水式床暖房パネルＡの概略構成を示す部分断面説明図である。
【００２４】
図１に示すように、上記温水式床暖房パネルＡは主として、床材本体１とこの床材本体１の裏面に形成された収納溝２と温水パイプ３から構成され、この温水パイプ３内には、図示しない熱源で加温された温水が流れている。また、上記温水パイプ３を被うように床材本体１の裏面は均熱板４で被覆されている。
【００２５】
ここで、上記収納溝２の溝幅ｗは該温水パイプ３の外径ｄよりも十分に大きくしている。当該実施例においては、上記溝幅ｗは温水パイプ３の外径ｄの約２倍にしている。このようにすることによって、収納溝２の天井部２１、即ち収納溝２ａの底の部分、の面積は大きくなり、収納溝２の直上の床材本体層１ｃが温水パイプ３によって加温されても、単位面積当たりの加熱量は少なくなって上記直上部の床材本体層１ｃの温度の局部的急上昇が抑制され、床材本体層１ｃやその近傍の含水率の低下の差異を小さくできる。
【００２６】
その結果、溝うつりが発生しても表面の凹溝の幅が広がりかつ浅くなっているため、床材全体として見た場合、斜め方向から射す光によっても溝うつり部７を目立たなくすることができる。
【００２７】
一方、上記のように構成することによって、収納溝２の内壁２２と温水パイプ３の外周部との間に空隙部、すなわち左空隙部５１と右空隙部５２とが形成される。ここで、上記左空隙部５１には左空隙充填材６１を、右空隙部５２には右空隙充填材６２がそれぞれ充填されている。上記左右空隙充填材６１、６２が介在することによって温水パイプ３は、左空隙部５１と右空隙部５２内にしっかりと保持されるという効果がある。
【００２８】
上記左右空隙充填材６１、６２としては熱伝導率のよいもの、例えば石膏、無機系コーキング材、金属片、木片等が用いられる。とくに石膏は不燃性で熱伝導率が大きいため、温水パイプ３からの熱は同図内の矢印で示すように左右側の床材本体１に効率よく伝熱していく。温水パイプ３の左右の空隙部５１、５２は断熱性能の高い空気層であるから、該左右の空隙部５１、５２に左右空隙充填材６１、６２を充填していない場合に比較して、本願発明は、収納溝２の天井部２１の直上温度とその近傍の温度との差が一層よく軽減されるという効果がある。
【００２９】
その結果、収納溝２の天井部２１近辺の床材本体層１ｃの温度ｔ１と収納溝２の左右近傍の床材本体１の温度ｔ２の温度差が小さくなるため、加熱による寸法変化が防止され、床材本体１に貼着された表面化粧板１１の収縮を抑制することができる。かくして、上記収納溝２の溝幅ｗを大とし、表面化粧板１１の凹溝の幅が広がり、かつ浅くなる効果と相まって斜光によっても溝うつり部７を目立たなくすることができる。
【００３０】
一方、上記温水パイプ３を被うように床材本体１の裏面を被覆する均熱板４によって、温水パイプ３からの熱は収納溝２の周囲の床材本体１全体に熱効率よく、平均して伝えられるため、温水式床暖房パネルＡの表面温度の均一化を一層効率よく図ることができる。
【００３１】
さらに、帯状長方形の温水式床暖房パネルＡの表面化粧板１１にパネルの長手方向に沿う化粧目地や木目模様等のデザインを施せば、溝うつり部７が上記デザインと同じ方向に走るため、さらに溝うつりを目立ちにくくすることができる。
【００３２】
上記実施形態においては、収納溝として断面略Ｕ字形の凹溝を例示したが、これに限られず断面略コ字形としてもよい。また、凹溝の底部分を面取り加工して裾広がりとしてもよい。また、左右両間隙に間隙充填材を保持させた場合について述べたが、左右どちらか一方としてもよい。このように本願発明は設計変更自在であり、特許請求の範囲を逸脱しない限り、本願発明の技術的範囲に含まれる。
【符号の説明】
【００３３】
Ａ      本願発明に係る温水式床暖房パネル
ｄ      温水パイプの外径
ｗ      収納溝の溝幅
ｔ１    収納溝の天井部近辺の床材本体の温度
ｔ２    収納溝の左右近傍の床材本体の温度
１      床材本体
１ｃ    床材本体層
１１    表面化粧板
２      収納溝
２１    天井部
２２    内壁
３      温水パイプ
４      均熱板
５１    左空隙部
５２    右空隙部
６１    左空隙充填材
６２    右空隙充填材
７      溝うつり部
Ｂ      公知の温水式床暖房パネル
１ａ    公知の温水式床暖房パネルにおける床材本体
１ｂ    公知の温水式床暖房パネルにおける床材本体層
２ａ    公知の温水式床暖房パネルにおける収納溝
１１ａ  公知の温水式床暖房パネルにおける表面化粧板
３ａ    公知の温水式床暖房パネルにおける温水パイプ
４ａ    公知の温水式床暖房パネルにおける均熱板
７ａ    公知の温水式床暖房パネルにおける溝うつり部
【図１】
0005830645.tif 000002
【図２】
0005830645.tif 000003